(57)【特許請求の範囲】
【請求項１】
少なくとも一部が開口するとともに、電線が内側に収容されるプロテクタ本体と、
前記プロテクタ本体の開口を覆うように該プロテクタ本体に組み付けられるプロテクタ蓋と、
を備え、
前記プロテクタ本体は、底壁と、底壁の両側から起立して設けれた側壁と、前記底壁から起立して設けられた少なくとも一つの仕切り壁と、を有し、該仕切り壁は、該側壁と該仕切り壁の間隔、または隣り合う該仕切り壁の間隔が異なるよう離間して前記底壁から起立して設けられ、
前記プロテクタ本体は、さらに、前記側壁と前記仕切り壁によって挟まれる空間、または隣り合う前記仕切り壁によって挟まれる空間に、前記プロテクタ蓋を該プロテクタ本体に組み付けた際の該プロテクタ蓋に向って前記底壁から突設されたリブを有し、
前記プロテクタ蓋は、該プロテクタ蓋を前記プロテクタ本体に組み付けた際、前記プロテクタ本体の前記底壁から、前記側壁と前記仕切り壁によって挟まれる空間、または隣り合う前記仕切り壁によって挟まれる空間に面する該プロテクタ蓋の内側までの高さ及び前記リブの高さが、前記側壁と前記仕切り壁の間隔、または隣り合う前記仕切り壁の間隔が狭い空間に面する箇所ほど低くなっている、
ことを特徴とするプロテクタ。
【請求項２】
前記リブは、前記側壁及び前記仕切り壁が向かい合う方向、または隣り合う前記仕切り壁が向かい合う方向に沿って、前記底壁から突設され、
前記リブの上端は、前記側壁と前記仕切り壁の間隔、または隣り合う前記仕切り壁の間隔が狭い空間ほど曲率が大きくなるように円弧状に窪んでいる、
ことを特徴とする請求項１に記載のプロテクタ。
【請求項３】
前記リブは、前記側壁及び前記仕切り壁、または隣り合う前記仕切り壁に連設されている、
ことを特徴とする請求項１または２に記載のプロテクタ。
【請求項４】
前記プロテクタ蓋は、係止部を有し、
前記プロテクタ本体の前記側壁は、前記プロテクタ蓋の係止部に係止する係止部を有し、
前記リブは、前記プロテクタ本体の前記側壁における前記係止部が設けられた近傍に形成されている、
ことを特徴とする請求項２または３に記載のプロテクタ。
【請求項５】
前記プロテクタ蓋の一端及び前記プロテクタ本体の前記側壁の上端を連結し、前記プロテクタ蓋を回動自在に前記プロテクタ本体に固定するヒンジをさらに備え、
前記側壁と前記仕切り壁の間隔、または隣り合う前記仕切り壁の間隔は、これらの壁に挟まれる空間が前記ヒンジに近いほど狭くなっている、
ことを特徴とする請求項１から４のいずれか一項に記載のプロテクタ。
【発明の詳細な説明】
【技術分野】
【０００１】
本発明は、一つの電線束を複数の電線束に分岐するプロテクタに関する。
【背景技術】
【０００２】
従来、一つの電線束を複数の電線束に分岐するプロテクタがある（特許文献１）。
【先行技術文献】
【特許文献】
【０００３】
【特許文献１】特開平１１−８９２２号公報
【発明の概要】
【発明が解決しようとする課題】
【０００４】
ところで、一つの電線束を複数の電線束に分岐するにあたって、径の異なる複数の電線束をプロテクタに配置する場合がある。このとき、それらの電線束を誤った位置に配置する虞がある。
【０００５】
本発明は、上述した事情に鑑みてなされたものであり、その目的は、径の異なる複数の電線束をプロテクタに配置する場合に、それらの電線束を誤った位置に配置したことを作業者に知らせることができるプロテクタを提供することにある。
【課題を解決するための手段】
【０００６】
前述した目的を達成するために、本発明に係るプロテクタは、下記（１）〜（５）を特徴としている。
（１）  少なくとも一部が開口するとともに、電線が内側に収容されるプロテクタ本体と、
前記プロテクタ本体の開口を覆うように該プロテクタ本体に組み付けられるプロテクタ蓋と、
を備え、
前記プロテクタ本体は、底壁と、底壁の両側から起立して設けれた側壁と、前記底壁から起立して設けられた少なくとも一つの仕切り壁と、を有し、該仕切り壁は、該側壁と該仕切り壁の間隔、または隣り合う該仕切り壁の間隔が異なるよう離間して前記底壁から起立して設けられ、
前記プロテクタ本体は、さらに、前記側壁と前記仕切り壁によって挟まれる空間、または隣り合う前記仕切り壁によって挟まれる空間に、前記プロテクタ蓋を該プロテクタ本体に組み付けた際の該プロテクタ蓋に向って前記底壁から突設されたリブを有し、
前記プロテクタ蓋は、該プロテクタ蓋を前記プロテクタ本体に組み付けた際、前記プロテクタ本体の前記底壁から、前記側壁と前記仕切り壁によって挟まれる空間、または隣り合う前記仕切り壁によって挟まれる空間に面する該プロテクタ蓋の内側までの高さ及び前記リブの高さが、前記側壁と前記仕切り壁の間隔、または隣り合う前記仕切り壁の間隔が狭い空間に面する箇所ほど低くなっている、こと。
（２）  上記（１）の構成のプロテクタにおいて、前記リブは、前記側壁及び前記仕切り壁が向かい合う方向、または隣り合う前記仕切り壁が向かい合う方向に沿って、前記底壁から突設され、
前記リブの上端は、前記側壁と前記仕切り壁の間隔、または隣り合う前記仕切り壁の間隔が狭い空間ほど曲率が大きくなるように円弧状に窪んでいる、こと。
（３）  上記（１）または（２）の構成のプロテクタにおいて、前記リブは、前記側壁及び前記仕切り壁、または隣り合う前記仕切り壁に連設されている、こと。
（４）  上記（２）または（３）の構成のプロテクタにおいて、前記プロテクタ蓋は、係止部を有し、
前記プロテクタ本体の前記側壁は、前記プロテクタ蓋の係止部に係止する係止部を有し、
前記リブは、前記プロテクタ本体の前記側壁における前記係止部が設けられた近傍に形成されている、こと。
（５）  上記（１）から（４）のいずれかの構成のプロテクタにおいて、前記プロテクタ蓋の一端及び前記プロテクタ本体の前記側壁の上端を連結し、前記プロテクタ蓋を回動自在に前記プロテクタ本体に固定するヒンジをさらに備え、
前記側壁と前記仕切り壁の間隔、または隣り合う前記仕切り壁の間隔は、これらの壁に挟まれる空間が前記ヒンジに近いほど狭くなっている、こと。
【０００７】
上記（１）の構成のプロテクタによれば、側壁と仕切り壁に挟まれる空間、または隣り合う仕切り壁に挟まれる空間に所定の径よりも大きな電線束が載置された状態でプロテクタ蓋をプロテクタ本体に組み付けようとすると、プロテクタ蓋をプロテクタ本体に組み付けることができない、或いは、その組み付け作業を行う作業者にプロテクタ蓋に作用する電線束からの反発力によって違和感を感じさせる。この結果、分岐した電線束を所定の配置とは異なる誤った配置でプロテクタ本体に載置したことを作業者に認識させることができ、誤配線を未然に防止することができる。
また、リブ上に分岐した電線束を配置することになるため、その電線束の上端の位置を底上げすることができる。この結果、分岐した電線束を所定の配置とは異なる誤った配置でプロテクタ本体に載置したときに、プロテクタ蓋がより強く電線束に押し上げられることになり、作業者により強い違和感を感じさせることができる。また、一つの電線束から分岐した複数の電線束をプロテクタに固定するにあたって、例えば、結束バンドで複数の電線束とプロテクタ本体の側壁とを束ねる際、そのリブの高さを適宜調整しておけば、複数の電線束それぞれに結束バンドが密着するようにすることもでき、プロテクタ内で複数の電線束を良好に保持させることができる。ここで、誤った配線により一方の電線束の上端の位置が他方の電線束の上端の位置よりも低くなった場合、他方の電線束とプロテクタ本体の側壁のみが結束バンドに密着し、一方の電線束が結束バンドに接触せず、結束バンドによる保持が不十分となり長手方向へのずれが生じるおそれがある。しかし、本構成のプロテクタによれば、誤った配線を未然に防止することができるので、このような結束バンドによる保持不足も防止することができる。
上記（２）の構成のプロテクタによれば、リブを設けることにより、これらのリブに補強の役割を持たせることができ、よって、側壁及び仕切り壁を補強してプロテクタ本体の全体を強固にすることができる。
上記（３）の構成のプロテクタによれば、リブの上端は、それぞれが設けられた空間の幅が狭いほど曲率が大きくなるように円弧状に窪んでいるので、側壁と仕切り壁に挟まれる空間、または隣り合う仕切り壁に挟まれる空間に載置された電線束が所望の電線束の径よりも大きいほど、その載置された電線束は底壁からより離れて位置することになる。この結果、分岐した電線束を所定の配置とは異なる誤った配置でプロテクタ本体に載置したときに、その径の違いが大きいほどプロテクタ蓋がより強く電線束に押し上げられることになり、作業者により強い違和感を感じさせることができる。
上記（４）の構成のプロテクタによれば、プロテクタ本体の側壁の本体側の係止部が設けられた付近は、リブによって補強される。この結果、プロテクタ蓋の蓋側の係止部との係合をより強くすることができ、プロテクタ蓋をプロテクタ本体からより外れ難くすることができる。
上記（５）の構成のプロテクタによれば、電線束が収容される空間の幅は、ヒンジ部に近いほど狭くされているので、分岐した電線束を所定の配置とは異なる誤った配置でプロテクタ本体に載置したとき、径が大きな電線束ほどヒンジ部に近いところに位置することとなる。この状態でプロテクタ蓋をプロテクタ本体に組み付けようとしたとき、その径が大きな電線束から受ける反発力は大きくなる。この結果、分岐した電線束を所定の配置とは異なる誤った配置でプロテクタ本体に載置したときに、プロテクタ蓋がより強く電線束に押し上げられることになり、作業者により強い違和感を感じさせることができる。
【発明の効果】
【０００８】
本発明によれば、径の異なる複数の電線束をプロテクタに配置する場合に、それらの電線束を誤った位置に配置したことを作業者に知らせることができるプロテクタを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】実施形態に係るプロテクタの斜視図である。
【図２】実施形態に係るプロテクタ蓋を開いた状態プロテクタの斜視図である。
【図３】実施形態に係るプロテクタ蓋を開いた状態のプロテクタを示す図であって、図３（ａ）は平面図、図３（ｂ）は側面図である。
【図４】実施形態に係るプロテクタを示す図であって、図４（ａ）はプロテクタ蓋を閉じた状態の断面図、図４（ｂ）はプロテクタ蓋を開いた状態の断面図である。
【図５】実施形態に係るプロテクタにワイヤハーネスを支持させた状態を示す図であって、図５（ａ）は複数の電線束収容空間それぞれに正しい径の電線束を配置した断面図、図５（ｂ）は複数の電線束収容空間それぞれに誤った径の電線束を配置した断面図である。
【発明を実施するための形態】
【００１１】
以下、本発明に係る実施形態の例を、図面を参照して説明する。
【００１２】
図１は実施形態に係るプロテクタの斜視図、図２は実施形態に係るプロテクタ蓋を開いた状態プロテクタの斜視図、図３は実施形態に係るプロテクタ蓋を開いた状態のプロテクタを示す図であって、図３（ａ）は平面図、図３（ｂ）は側面図、図４は実施形態に係るプロテクタを示す図であって、図４（ａ）はプロテクタ蓋を閉じた状態の断面図、図４（ｂ）はプロテクタ蓋を開いた状態の断面図である。図５は実施形態に係るプロテクタにワイヤハーネスを支持させた状態を示す図であって、図５（ａ）は複数の電線束収容空間それぞれに正しい径の電線束を配置した断面図、図５（ｂ）は複数の電線束収容空間それぞれに誤った径の電線束を配置した断面図である。
【００１３】
図１から図４（ｂ）に示すように、本実施形態に係るプロテクタ１１は、車両等のフレーム（被配索材）にワイヤハーネス（電線）Ｗを支持させるもので、プロテクタ本体１２と、このプロテクタ本体１２の上部に組み付けられたプロテクタ蓋１３とを有している。これらのプロテクタ本体１２及びプロテクタ蓋１３から構成されたプロテクタ１１は、合成樹脂によって形成されている。
【００１４】
このプロテクタ１１は、一端側が屈曲された平面形状に形成されており、これにより、ワイヤハーネスＷは、プロテクタ１１内で屈曲されて配線される。このプロテクタ１１に保持されるワイヤハーネスＷは、１束の電線束Ｂを、半径が異なる２束の電線束Ｂ１，Ｂ２に分岐したもので、電線束Ｂ１，Ｂ２は、電線束Ｂ１の方が電線束Ｂ２よりも大径とされている。
【００１５】
プロテクタ本体１２は、底壁２１と、この底壁２１の両側部に起立して設けられた側壁２２，２３とを有する上方側が開放された断面視凹状に形成されている。そして、このプロテクタ本体１２の底壁２１と側壁２２，２３とから形成された凹状部分が、ワイヤハーネスＷの収容部Ｓとされている。
【００１６】
プロテクタ蓋１３は、プロテクタ本体１２の収容部Ｓの開口部分を覆う蓋本体２４を備えており、この蓋本体２４は、プロテクタ本体１２の他方側の側壁２３に対して連結されている。そして、このプロテクタ蓋１３は、蓋本体２４と側壁２３との連結箇所からなるヒンジ部（ヒンジ）２５で回動可能とされている。
【００１７】
プロテクタ本体１２の一方側の側壁２２とプロテクタ蓋１３の蓋本体２４のヒンジ部２５側と反対側の端部との間には、複数の係止機構３１が設けられている。また、プロテクタ本体１２の他方側の側壁２３とプロテクタ蓋１３の蓋本体２４のヒンジ部２５側の端部との間にも、一つの係止機構３１が設けられている。
【００１８】
これらの係止機構３１は、プロテクタ本体１２の側壁２２，２３に形成された本体側係止部（係止部）３２と、プロテクタ蓋１３の蓋本体２４に形成された蓋側係止部（係止部）３３とを有している。本体側係止部３２は、上下に沿って形成された挿通孔３４を有している。また、挿通孔３４を形成する外壁部３５には、窓部３５ａが形成されている。
【００１９】
蓋側係止部３３は、プロテクタ本体１２側へ突出する係止片４１を有しており、この係止片４１には、その外面側に、係止爪４２が形成されている。そして、この蓋側係止部３３の係止片４１を本体側係止部３２の挿通孔３４へ挿し込むと、係止片４１の係止爪４２が、本体側係止部３２の窓部３５ａの縁部に係止し、よって、プロテクタ本体１２とプロテクタ蓋１３とが係止機構３１で係止される。
【００２０】
また、プロテクタ本体１２には、その一端側に、係止蓋５１が設けられている。この係止蓋５１も、その一側部が、他方側の側壁２３に連結されており、この側壁２３との連結箇所からなるヒンジ部５２で回動可能とされている。また、係止蓋５１のヒンジ部５２と反対側の端部と一方側の側壁２２との間には、係止機構３１が設けられ、係止蓋５１と側壁２２とが係止可能とされている。
【００２１】
プロテクタ本体１２は、収容部Ｓ内において、底壁２１から起立して設けられた仕切り壁６１，６２を有している。これらの仕切り壁６１，６２は、一方側の側壁２２側から間隔をあけて二列に配列されており、二列目の仕切り壁６２は、複数に分割されている。
【００２２】
そして、これらの仕切り壁６１，６２によって、プロテクタ本体１２の収容部Ｓは、幅方向に複数に分割され、複数の電線束収容空間（空間）Ｓ１，Ｓ２，Ｓ３とされている。
【００２３】
ここで、図４（ａ）に示すように、側壁２２と仕切り壁６１の間隔及び隣り合う仕切り壁６１，６２同士の間隔は、互い異なるように離間されている。具体的には、側壁２２と仕切り壁６１の間隔よりも隣り合う仕切り壁６１，６２同士の間隔の方が小さくされている。これにより、電線束収容空間Ｓ１，Ｓ２は、その幅寸法Ｗ１，Ｗ２の関係が、Ｗ１＞Ｗ２とされている。
【００２４】
また、プロテクタ蓋１３の蓋本体２４は、幅方向の略中央に段差を有している。これにより、収容部Ｓに面する蓋本体２４の下面は、ヒンジ部２５から離間する側の下面２４Ａに対して、ヒンジ部２５側の下面２４Ｂが収容部Ｓ側へ下げられている。
【００２５】
そして、プロテクタ蓋１３は、プロテクタ蓋１３をプロテクタ本体１２に組み付けた際、プロテクタ本体１２の底壁２１から側壁２２と仕切り壁６１によって挟まれる電線束収容空間Ｓ１に面するプロテクタ蓋１３の内側までの高さＨ１よりも、プロテクタ本体１２の底壁２１から仕切り壁６１，６２によって挟まれる電線束収容空間Ｓ２に面するプロテクタ蓋１３の内側までの高さＨ２が低く（Ｈ１＞Ｈ２）されている。つまり、電線束収容空間Ｓ１，Ｓ２では、幅寸法が狭い方ほど高さ寸法が低くされている。
【００２６】
プロテクタ本体１２は、側壁２２と仕切り壁６１によって挟まれる電線束収容空間Ｓ１に、プロテクタ蓋１３をプロテクタ本体１２に組み付けた際のプロテクタ蓋１３に向って底壁２１から突設されたリブ７１を有している。
【００２７】
また、プロテクタ本体１２は、隣り合う仕切り壁６１，６２によって挟まれる電線束収容空間Ｓ２にも、プロテクタ蓋１３をプロテクタ本体１２に組み付けた際のプロテクタ蓋１３に向って底壁２１から突設されたリブ７２を有している。
【００２８】
リブ７１は、間隔をあけて複数設けられており、それぞれ側壁２２及び仕切り壁６１が向かい合う方向に沿って底壁２１から突設され、側壁２２及び仕切り壁６１に連接されている。同様に、リブ７２は、間隔をあけて複数設けられており、それぞれ隣り合う仕切り壁６１，６２が向かい合う方向に沿って底壁２１から突設され、隣り合う仕切り壁６１，６２に連設されている。
【００２９】
リブ７１，７２は、それぞれ上端部分が円弧状に窪んだ形状に形成されており、この円弧状端部７１ａ，７２ａの上方側に電線束Ｂ１，Ｂ２が配置される。リブ７１の円弧状端部７１ａとリブ７２の円弧状端部７２ａとは、それぞれ異なる曲率とされている。具体的には、電線束収容空間Ｓ１側のリブ７１の円弧状端部７１ａの曲率Ｃ１よりも電線束収容空間Ｓ２側のリブ７２の円弧状端部７２ａの曲率Ｃ２が大きく（Ｃ１＜Ｃ２）されている。つまり、電線束収容空間Ｓ１，Ｓ２では、幅寸法が狭い方ほど曲率が大きくされている。このような円弧状端部７１ａ，７２ａは、該円弧状端部７１ａ，７２ａに配置される電線束Ｂ１，Ｂ２の径の曲率と略一致するように曲率が設計されている。
【００３０】
また、電線束収容空間Ｓ１側に設けられたリブ７１は、プロテクタ本体１２の側壁２２における本体側係止部３２が設けられた近傍に形成されている。これにより、側壁２２は、本体側係止部３２の形成箇所及びその周辺がリブ７１によって補強され、外力等による変形が大幅に抑えられるようになっている。
【００３１】
また、プロテクタ本体１２には、側壁２２の上端に、溝部２２ａが形成され、また、側壁２３側には、プロテクタ蓋１３と連結するヒンジ部２５に、孔部２５ａが形成されている。これらの溝部２２ａ及び孔部２５ａには、結束バンド７５が挿通可能とされている。そして、これらの溝部２２ａ及び孔部２５ａへ通した結束バンド７５は、プロテクタ本体１２の下方側へ通され、電線束収容空間Ｓ１，Ｓ２に電線束Ｂ１，Ｂ２を収容した状態でプロテクタ本体１２に結束されるようになっている。これにより、電線束Ｂ１，Ｂ２は、結束バンド７５によってプロテクタ本体１２に保持される。
【００３２】
上記構造のプロテクタ１１は、プロテクタ本体１２の下面側に、二つのクランプ８０を有している。
【００３３】
クランプ８０は、支柱部８１と、この支柱部８１の両側に形成された一対の係止羽根８２とを有している。係止羽根８２は、支柱部８１の先端近傍で連結され、支柱部８１の根元側へ向かって次第に支柱部８１から離間されている。このように、クランプ８０は、一対の係止羽根８２を備えた両羽根クランプである。
【００３４】
また、プロテクタ本体１２の下面には、クランプ８０のそれぞれの係止羽根８２に対向する位置に、凸部８３が形成されている。これらの凸部８３は、クランプ８０を挟んで互いに平行に形成された凸条形状とされている。
【００３５】
クランプ８０を有するプロテクタ本体１２は、車両等のフレーム（図示略）に固定される。このフレームは、二つの係止孔を有しており、これらの係止孔に、クランプ８０が係止される。具体的には、クランプ８０をフレームの係止孔へ挿し込む。すると、クランプ８０の係止羽根８２が係止孔によって一旦窄められ、その後、フレームの裏面側で係止羽根８２が開くこととなる。これにより、フレームの裏面側にそれぞれの係止羽根８２が係止することとなり、よって、クランプ８０が係止孔に係止し、フレームにプロテクタ本体１２が固定される。このとき、フレームは、クランプ８０の係止羽根８２とプロテクタ本体１２の下面の凸部８３とによって挟持され、よって、プロテクタ１１は、フレームに対してがたつきなく固定される。
【００３６】
上記のプロテクタ１１にワイヤハーネスＷを保持させる場合について説明する。
【００３７】
まず、プロテクタ蓋１３及び係止蓋５１を開いた状態で、プロテクタ本体１２の収容部ＳにワイヤハーネスＷを収容する。
【００３８】
ここで、ワイヤハーネスＷは、１束の電線束Ｂから径の異なる２束の電線束Ｂ１，Ｂ２に分岐されており、電線束Ｂ１は、電線束Ｂ２よりも大径とされている。
【００３９】
したがって、このワイヤハーネスＷをプロテクタ本体１２の収容部Ｓに収容させるには、まず、電線束Ｂをプロテクタ本体１２の収容部Ｓにおける一端側のハーネス導入部１２ａへ配置させる。そして、図５（ａ）に示すように、電線束Ｂ１を電線束収容空間Ｓ１へ載置させ、この電線束Ｂ１よりも小径の電線束Ｂ２を電線束収容空間Ｓ２へ載置させる。
【００４０】
ワイヤハーネスＷをプロテクタ本体１２の収容部Ｓに収容したら、プロテクタ本体１２の上部を覆うように係止蓋５１を回動させ、係止蓋５１をプロテクタ本体１２に係止機構３１で係止させる。このようにすると、ワイヤハーネスＷの電線束Ｂが係止蓋５１によって押え付けられてプロテクタ１１に確実に保持される。
この状態で、溝部２２ａ及び孔部２５ａへ結束バンド７５を通してプロテクタ本体１２の下方側へまわして結束する。すると、プロテクタ本体１２の電線束収容空間Ｓ１，Ｓ２へ載置された電線束Ｂ１，Ｂ２がプロテクタ本体１２に縛り付けられて保持される。
【００４１】
その後、プロテクタ本体１２の上部を覆うようにプロテクタ蓋１３を回動させ、プロテクタ蓋１３をプロテクタ本体１２に係止機構３１で係止させる。このようにすると、ワイヤハーネスＷの電線束Ｂ１，Ｂ２がプロテクタ蓋１３によって押え付けられてプロテクタ１１に確実に保持される。
【００４２】
このように、上記のプロテクタ１１を用いれば、断面円形の１束の電線束Ｂを、半径が異なる断面円形の２束の電線束Ｂ１，Ｂ２に分岐し、それらの２束の電線束Ｂ１，Ｂ２を横並びに並べることができる。これにより、電線束の厚みが変えられ、よって、ワイヤハーネスＷの断面が円形から矩形へと近づけられる。つまり、狭い空間に電線束を這わさなければならないときに、電線束の厚みを変えて円滑に配線することができる。
【００４３】
ところで、上記の組み付け作業において、図５（ｂ）に示すように、小径の電線束Ｂ２を収容する電線束収容空間Ｓ２に、誤って大径の電線束Ｂ１が載置されると、電線束Ｂ１は、電線束収容空間Ｓ２に入りきらずにプロテクタ本体１２の上方へはみ出そうとしてしまう。したがって、この状態で作業者がプロテクタ蓋１３をプロテクタ本体１２に組み付けようとしても、電線束Ｂ１がプロテクタ本体１２の上方へはみ出そうとしているので、プロテクタ蓋１３をプロテクタ本体１２に組み付けることができない。また、その際、作業者はプロテクタ蓋１３が円滑に閉まらないことから違和感を感じることとなる。あるいは、プロテクタ蓋１３をプロテクタ本体１２に組み付けることができたとしても、その組み付け過程においてプロテクタ蓋１３に反発力が作用し、作業者は違和感を感じることとなる。
【００４４】
このように、上記実施形態に係るプロテクタによれば、側壁２２と仕切り壁６１に挟まれる電線束収容空間Ｓ１、または隣り合う仕切り壁６１，６２に挟まれる電線束収容空間Ｓ２に所定の径よりも大きな電線束が載置された状態でプロテクタ蓋１３をプロテクタ本体１２に組み付けようとすると、プロテクタ蓋１３をプロテクタ本体１２に組み付けることができない、或いは、その組み付け作業を行う作業者に違和感を感じさせる。この結果、分岐した電線束Ｂ１，Ｂ２を所定の配置とは異なる誤った配置でプロテクタ本体１２に載置したことを作業者に認識させることができ、誤配線を未然に防止することができる。
【００４５】
また、リブ７１，７２上に分岐した電線束Ｂ１，Ｂ２を配置することになるため、その電線束Ｂ１，Ｂ２の上端の位置を底上げすることができる。この結果、分岐した電線束Ｂ１，Ｂ２を所定の配置とは異なる誤った配置でプロテクタ本体１２に載置したときに、プロテクタ蓋１３がより強く電線束に押し上げられることになり、作業者により強い違和感を感じさせることができる。また、一つの電線束Ｂから分岐した複数の電線束Ｂ１．Ｂ２をプロテクタ１１に固定するにあたって、結束バンド７５で複数の電線束Ｂ１，Ｂ２とプロテクタ本体１２の側壁２２，２３とを束ねる際、そのリブ７１，７２の高さを適宜調整しておけば、複数の電線束Ｂ１，Ｂ２それぞれに結束バンド７５が密着するようにすることもでき、プロテクタ１１内で複数の電線束Ｂ１，Ｂ２を良好に保持させることができる。ここで、誤った配線により一方の電線束Ｂ２の上端の位置が他方の電線束Ｂ１の上端の位置よりも低くなった場合、他方の電線束Ｂ１とプロテクタ本体１２の側壁２２，２３のみが結束バンド７５に密着し、一方の電線束Ｂ２が結束バンド７５に接触せず、結束バンド７５による保持が不十分となり長手方向へのずれが生じるおそれがある。しかし、本実施形態では、誤った配線を未然に防止することができるので、このような結束バンド７５による保持不足も防止することができる。
【００４６】
また、リブ７１，７２を設けることにより、これらのリブ７１，７２に補強の役割を持たせることができ、よって、側壁２２及び仕切り壁６１，６２を補強してプロテクタ本体１２の全体を強固にすることができる。
【００４７】
さらに、リブ７１，７２の上端からなる円弧状端部７１ａ，７２ａは、それぞれが設けられた電線束収容空間Ｓ１，Ｓ２の幅が狭いほど曲率が大きくなるように円弧状に窪んでいるので、側壁２２と仕切り壁６１に挟まれる電線束収容空間Ｓ１、または隣り合う仕切り壁６１，６２に挟まれる電線束収容空間Ｓ２に載置された電線束が所望の電線束の径よりも大きいほど、その載置された電線束は底壁２１からより離れて位置することになる。この結果、分岐した電線束Ｂ１，Ｂ２を所定の配置とは異なる誤った配置でプロテクタ本体１２に載置したときに、その径の違いが大きいほどプロテクタ蓋１３がより強く電線束に押し上げられることになり、作業者により強い違和感を感じさせことができる。
【００４８】
また、プロテクタ本体１２の側壁２２の本体側係止部３２が設けられた付近は、リブ７１によって補強される。この結果、プロテクタ蓋１３の蓋側係止部３３との係合をより強くすることができ、プロテクタ蓋１３をプロテクタ本体１２からより外れ難くすることができる。
【００４９】
また、電線束収容空間Ｓ１，Ｓ２の幅は、ヒンジ部２５に近いほど狭くされているので、分岐した電線束Ｂ１，Ｂ２を所定の配置とは異なる誤った配置でプロテクタ本体１２に載置したとき、径が大きな電線束Ｂ１ほどヒンジ部２５に近いところに位置することとなる。この状態でプロテクタ蓋１３をプロテクタ本体１２に組み付けようとしたとき、その径が大きな電線束Ｂ１から受ける反発力は大きくなる。この結果、分岐した電線束Ｂ１，Ｂ２を所定の配置とは異なる誤った配置でプロテクタ本体１２に載置したときに、プロテクタ蓋１３がより強く電線束に押し上げられることになり、作業者により強い違和感を感じさせることができる。
【００５０】
なお、上記の実施形態では、１束の電線束Ｂを２束の電線束Ｂ１，Ｂ２に分岐してプロテクタ１１へ保持させる場合を例示したが、電線束の分割数は２束に限定されない。例えば、実施形態に係るプロテクタ１１では、１束の電線束Ｂを３束の電線束Ｂ１，Ｂ２，Ｂ３に分割し、それぞれ電線束収容空間Ｓ１，Ｓ２，Ｓ３へ収容させる場合もある。
【００５１】
また、上記実施形態では、電線収容空間Ｓ１，Ｓ２の高さＨ１，Ｈ２を調整するために、プロテクタ蓋１３の蓋本体２４の下面に段差を設けたが、電線収容空間Ｓ１，Ｓ２上における蓋本体２４の下面にリブ等の突起を設けて高さＨ１，Ｈ２を調整しても良い。
【００５２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００５３】
１１  プロテクタ
１２  プロテクタ本体
１３  プロテクタ蓋
２１  底壁
２２，２３  側壁
２５  ヒンジ部（ヒンジ）
３２  本体側係止部（係止部）
３３  蓋側係止部（係止部）
６１，６２  仕切り壁
７１，７２  リブ
Ｂ，Ｂ１，Ｂ２  電線束
Ｓ１，Ｓ２，Ｓ３  電線束収容空間（空間）
Ｗ  ワイヤハーネス（電線）
【図１】
0005749958.tif 000002
【図２】
0005749958.tif 000003
【図３】
0005749958.tif 000004
【図４】
0005749958.tif 000005
【図５】
0005749958.tif 000006